【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
カメラ本体と、該カメラ本体に着脱可能な交換レンズとから構成されるレンズ交換式デジタルカメラであって、
上記交換レンズは、
焦点位置を調整する為のフォーカスレンズと、
当該交換レンズの特性に関する情報を記憶するレンズ記憶手段と、
情報の送受信を行う為のレンズ通信手段と、
を有し、
上記カメラ本体は、
上記交換レンズ内の上記レンズ通信手段と情報の送受信を行う為のカメラ本体通信手段と、
上記交換レンズにより結像した光像を電気的な画像信号に変換する撮像素子と、
上記画像信号に基づいて上記光像の合焦度合いを表す合焦評価値を算出する評価値算出手段と、
上記合焦評価値が最大となるように上記フォーカスレンズの移動を制御して合焦制御する為の合焦制御手段と、
上記カメラ本体通信手段を介して取得した上記交換レンズの特性に関する情報に基づいて、上記交換レンズが上記合焦制御手段による上記フォーカスレンズの移動制御に適するか否かを判定するレンズ判定手段と、
上記レンズ判定手段が、上記交換レンズは上記合焦制御手段による上記フォーカスレンズの移動制御に適すると判定した場合には、上記合焦制御手段は第１の合焦シーケンスによって上記フォーカスレンズの移動制御を行い、上記レンズ判定手段が、上記交換レンズは上記合焦制御手段による上記フォーカスレンズの移動制御に適しないと判定した場合には、上記合焦制御手段は第２の合焦シーケンスによって上記フォーカスレンズの移動制御を行うシーケンス切換手段と、
を具備することを特徴とするレンズ交換式デジタルカメラ。
【請求項２】
上記レンズ判定手段は、上記合焦制御手段によって行われる上記フォーカスレンズの移動制御による合焦に要する時間を推定する合焦時間推定手段を備え、
上記レンズ判定手段は、上記合焦時間推定手段が推定した時間が所定時間よりも長い時間である場合には、上記交換レンズは上記合焦制御手段による上記フォーカスレンズの移動制御に適しないと判定することを特徴とする請求項１に記載のレンズ交換式デジタルカメラ。
【請求項３】
上記フォーカスレンズの移動は駆動パルスに基づいて行われ、
上記交換レンズのレンズ特性に関する情報とは、上記交換レンズの無限遠から至近距離まで上記フォーカスレンズを移動するのに必要な上記駆動パルスの数である駆動パルス数、１駆動パルス当たりの上記フォーカスレンズの移動距離、駆動パルス同士の時間間隔である駆動パルス間隔、及び単位時間当たりの最大駆動パルス数のうち少なくとも一つを含むことを特徴とする請求項１または２に記載のレンズ交換式デジタルカメラ。
【請求項４】
上記交換レンズのレンズ特性に関する情報とは、上記交換レンズの種類を特定する情報であることを特徴とする請求項１に記載のレンズ交換式デジタルカメラ。
【請求項５】
上記交換レンズのレンズ特性に関する情報とは、上記交換レンズが上記合焦制御手段による合焦制御に適するか否かを示すフラグであることを特徴とする請求項１に記載のレンズ交換式デジタルカメラ。
【請求項６】
上記レンズ判定手段は、上記交換レンズを上記合焦制御手段による合焦制御に適しないと判定した場合に、その旨を当該レンズ交換式デジタルカメラのユーザーに報知する為の報知手段を備えることを特徴とする請求項１に記載のレンズ交換式デジタルカメラ。
【請求項７】
上記合焦制御手段は、上記フォーカスレンズをステップ単位で移動制御し、
上記合焦制御手段は、上記レンズ判定手段が上記交換レンズを上記合焦手段による移動制御に適していないと判定した場合には、上記レンズ判定手段が上記交換レンズを上記合焦手段による移動制御に適していると判定した場合よりも、上記単位ステップ当たりの上記フォーカスレンズの移動量が大きくなるように、上記フォーカスレンズの移動制御を行うことを特徴とする請求項１に記載のレンズ交換式デジタルカメラ。
【請求項８】
上記レンズ判定手段が、上記交換レンズを上記合焦手段による移動制御に適していないと判定した場合には、
上記合焦制御手段は、上記フォーカスレンズを連続的に移動し、該移動中に上記評価値算出手段が所定の周期で取得した合焦評価値に基づいて、上記フォーカスレンズの移動制御を行うことを特徴とする請求項１に記載のレンズ交換式デジタルカメラ。
【請求項９】
上記第２の合焦シーケンスとは、まず最初に、上記合焦評価値が最大となる上記フォーカスレンズ位置近傍まで上記フォーカスレンズを粗調整し、その後、上記合焦評価値が最大となる上記フォーカスレンズ位置まで微調整する二段階シーケンスであることを特徴とする請求項１に記載のレンズ交換式デジタルカメラ。
【請求項１０】
焦点位置を調整する為のフォーカスレンズを有する交換レンズを着脱可能なレンズ交換式デジタルカメラであって、
上記交換レンズと情報の送受信を行う為の通信手段と、
上記交換レンズにより結像した光像を電気的な画像信号に変換する撮像素子と、
上記画像信号に基づいて上記光像の合焦度合いを表す合焦評価値を算出する評価値算出手段と、
上記合焦評価値が最大となるように上記通信手段を介して上記交換レンズの上記フォーカスレンズの移動を制御して合焦制御する為の合焦制御手段と、
上記通信手段を介して上記交換レンズから取得した上記交換レンズの特性に関する情報に基づいて、上記交換レンズが上記合焦制御手段による上記フォーカスレンズの移動制御に適するか否かを判定するレンズ判定手段と、
上記レンズ判定手段が、上記交換レンズは上記合焦制御手段による上記フォーカスレンズの移動制御に適すると判定した場合には、上記合焦制御手段は第１の合焦シーケンスによって上記フォーカスレンズの移動制御を行い、上記レンズ判定手段が、上記交換レンズは上記合焦制御手段による上記フォーカスレンズの移動制御に適しないと判定した場合には、上記合焦制御手段は第２の合焦シーケンスによって上記フォーカスレンズの移動制御を行うシーケンス切換手段と、
を具備することを特徴とするレンズ交換式デジタルカメラ。
【請求項１１】
上記レンズ判定手段は、上記合焦制御手段によって行われる上記フォーカスレンズの移動制御による合焦に要する時間を推定する合焦時間推定手段を備え、
上記レンズ判定手段は、上記合焦時間推定手段が推定した時間が所定時間よりも長い時間である場合には、上記交換レンズは上記合焦制御手段による上記フォーカスレンズの移動制御に適しないと判定することを特徴とする請求項１０に記載のレンズ交換式デジタルカメラ。
【請求項１２】
上記フォーカスレンズの移動は駆動パルスに基づいて行われ、
上記交換レンズのレンズ特性に関する情報とは、上記交換レンズの無限遠から至近距離まで上記フォーカスレンズを移動するのに必要な上記駆動パルスの数である駆動パルス数、１駆動パルス当たりの上記フォーカスレンズの移動距離、駆動パルス同士の時間間隔である駆動パルス間隔、及び単位時間あたりの最大駆動パルス数のうち少なくとも１つを含むことを特徴とする請求項１０または請求項１１に記載のレンズ交換式デジタルカメラ。
【請求項１３】
上記交換レンズのレンズ特性に関する情報とは、上記交換レンズの種類を特定する情報であることを特徴とする請求項１０に記載のレンズ交換式デジタルカメラ。
【請求項１４】
上記交換レンズのレンズ特性に関する情報とは、上記交換レンズが上記合焦制御手段による合焦制御に適するか否かを示すフラグであることを特徴とする請求項１０に記載のレンズ交換式デジタルカメラ。
【請求項１５】
上記レンズ判定手段は、上記交換レンズを上記合焦制御手段による合焦制御に適しないと判定した場合に、その旨を当該レンズ交換式デジタルカメラのユーザーに報知する為の報知手段を備えることを特徴とする請求項１０に記載のレンズ交換式デジタルカメラ。
【請求項１６】
上記合焦制御手段は、上記フォーカスレンズをステップ単位で移動制御し、
上記合焦制御手段は、上記レンズ判定手段が上記交換レンズを上記合焦手段による移動制御に適していないと判定した場合には、上記レンズ判定手段が上記交換レンズを上記合焦手段による移動制御に適していると判定した場合よりも、上記単位ステップ当たりの上記フォーカスレンズの移動量が大きくなるように、上記フォーカスレンズの移動制御を行うことを特徴とする請求項１０に記載のレンズ交換式デジタルカメラ。
【請求項１７】
上記レンズ判定手段が、上記交換レンズを上記合焦手段による移動制御に適していないと判定した場合には、
上記合焦制御手段は、上記フォーカスレンズを連続的に移動し、該移動中に上記評価値算出手段が所定の周期で取得した合焦評価値に基づいて、上記フォーカスレンズの移動制御を行うことを特徴とする請求項１０に記載のレンズ交換式デジタルカメラ。
【請求項１８】
上記第２の合焦シーケンスとは、まず最初に、上記合焦評価値が最大となる上記フォーカスレンズ位置近傍まで上記フォーカスレンズを粗調整し、その後、上記合焦評価値が最大となる上記フォーカスレンズ位置まで微調整する二段階シーケンスであることを特徴とする請求項１０に記載のレンズ交換式デジタルカメラ。
【手続補正２】
【補正対象書類名】明細書
【補正対象項目名】００１４
【補正方法】変更
【補正の内容】
【００１４】
上記目的を達成するために、本発明の第１の態様によるレンズ交換式デジタルカメラは、カメラ本体と、該カメラ本体に着脱可能な交換レンズとから構成されるレンズ交換式デジタルカメラであって、上記交換レンズは、焦点位置を調整する為のフォーカスレンズと、当該交換レンズの特性に関する情報を記憶するレンズ記憶手段と、情報の送受信を行う為のレンズ通信手段と、を有し、上記カメラ本体は、上記交換レンズ内の上記レンズ通信手段と情報の送受信を行う為のカメラ本体通信手段と、上記交換レンズにより結像した光像を電気的な画像信号に変換する撮像素子と、上記画像信号に基づいて上記光像の合焦度合いを表す合焦評価値を算出する評価値算出手段と、上記合焦評価値が最大となるように上記フォーカスレンズの移動を制御して合焦制御する為の合焦制御手段と、上記カメラ本体通信手段を介して取得した上記交換レンズの特性に関する情報に基づいて、上記交換レンズが上記合焦制御手段による上記フォーカスレンズの移動制御に適するか否かを判定するレンズ判定手段と、上記レンズ判定手段が、上記交換レンズは上記合焦制御手段による上記フォーカスレンズの移動制御に適すると判定した場合には、上記合焦制御手段は第１の合焦シーケンスによって上記フォーカスレンズの移動制御を行い、上記レンズ判定手段が、上記交換レンズは上記合焦制御手段による上記フォーカスレンズの移動制御に適しないと判定した場合には、上記合焦制御手段は第２の合焦シーケンスによって上記フォーカスレンズの移動制御を行うシーケンス切換手段と、を具備することを特徴とする。
【手続補正３】
【補正対象書類名】明細書
【補正対象項目名】００１５
【補正方法】変更
【補正の内容】
【００１５】
上記の目的を達成するために、本発明の第２の態様によるレンズ交換式デジタルカメラは、焦点位置を調整する為のフォーカスレンズを有する交換レンズを着脱可能なレンズ交換式デジタルカメラであって、上記交換レンズと情報の送受信を行う為の通信手段と、上記交換レンズにより結像した光像を電気的な画像信号に変換する撮像素子と、上記画像信号に基づいて上記光像の合焦度合いを表す合焦評価値を算出する評価値算出手段と、上記合焦評価値が最大となるように上記通信手段を介して上記交換レンズの上記フォーカスレンズの移動を制御して合焦制御する為の合焦制御手段と、上記通信手段を介して上記交換レンズから取得した上記交換レンズの特性に関する情報に基づいて、上記交換レンズが上記合焦制御手段による上記フォーカスレンズの移動制御に適するか否かを判定するレンズ判定手段と、上記レンズ判定手段が、上記交換レンズは上記合焦制御手段による上記フォーカスレンズの移動制御に適すると判定した場合には、上記合焦制御手段は第１の合焦シーケンスによって上記フォーカスレンズの移動制御を行い、上記レンズ判定手段が、上記交換レンズは上記合焦制御手段による上記フォーカスレンズの移動制御に適しないと判定した場合には、上記合焦制御手段は第２の合焦シーケンスによって上記フォーカスレンズの移動制御を行うシーケンス切換手段と、を具備することを特徴とする。